(57)【要約】【課題】各々の弦材を連結する連結部を小さくでき、安全で、コストを低減可能なトラス構造を提供する。【解決手段】トラス構造は、連結部４を介して連結され且つ水平方向に沿って配置される複数の下弦材１と、連結部４を介して連結され且つ水平方向に沿って配置される複数の上弦材２と、下弦材１同士を連結する連結部４及び上弦材２同士を連結する連結部４に連結され且つ水平方向に対して傾斜する斜弦材３と、を有する。下弦材１、上弦材２及び斜弦材３は、パイプ材５の端部を平プレスすることにより端部に平板部５１が形成されている。平板部５１は、先細り形状に形成され、パイプ材５の軸ＣＬに沿って複数のボルト孔が形成され、複数のボルト孔を介して連結部４にボルト締めされている。【選択図】図２
0003211099.tif 000002
【実用新案登録請求の範囲】
【請求項１】
連結部を介して連結され且つ水平方向に沿って配置される複数の下弦材と、
連結部を介して連結され且つ水平方向に沿って配置される複数の上弦材と、
前記下弦材同士を連結する連結部及び前記上弦材同士を連結する連結部に連結され且つ水平方向に対して傾斜する斜弦材と、を有し、
前記下弦材、前記上弦材及び前記斜弦材は、パイプ材の端部を平プレスすることにより端部に平板部が形成されており、前記平板部は先細り形状に形成され、前記平板部は、前記パイプ材の軸に沿って複数のボルト孔が形成され、前記複数のボルト孔を介して連結部にボルト締めされている、トラス構造。
【請求項２】
前記連結部は、互いに直交する３枚のプレートで構成されている、請求項１に記載のトラス構造。
【請求項３】
トラス構造に使用される下弦材、上弦材、斜弦材を含むトラス構造部材であって、
円筒部分と、平プレスにより形成された平板部とを含み、
前記平板部は先細り形状であり、前記平板部には、前記円筒部分の軸に沿って複数のボルト孔が形成されている、トラス構造部材。
【考案の詳細な説明】
【技術分野】
【０００１】
本考案は、トラス構造及びトラス構造部材に関する。
【背景技術】
【０００２】
トラス構造は、建築物の屋根等の構造物として使用される。トラス構造の一つの例として、例えば特許文献１には、下弦材の偏平端部が横並びの２本のボルトで接合された水平プレートの片面に４つのアングル材が縦向きでそれらの辺によって十字状の隙間を形成するように溶接で接合されたジョイント部材を用い、斜弦材の偏平端部が、隣り合うアングル材の辺間の前記隙間に差し込まれてアングル材にボルトにて１点で二面せん断接合されている構造が開示されている。しかしながら、上記構造では、下弦材の偏平端部が横並びの２本ボルトで水平プレートに接合されているため、下弦材の偏平端部を大きくして水平プレートを大きくしなければならず、下弦材と斜弦材との連結構造が大きくなってコストが増大する原因になっており、ボルト１点止めの個所においては、ボルト破断時に崩壊に至ることから、構造として不安の残る構造体である。
【先行技術文献】
【特許文献】
【０００３】
【特許文献１】特開２００２−１６７８５３号公報
【考案の概要】
【考案が解決しようとする課題】
【０００４】
本考案は、このような課題に着目してなされたものであって、その目的は、構造体としての安全性を高め、且つ、各々の弦材を連結する連結部を小さくでき、コストを低減可能なトラス構造を提供することである。
【課題を解決するための手段】
【０００５】
本考案は、かかる目的を達成するために、次のような手段を講じたものである。
【０００６】
すなわち、本考案のトラス構造は、連結部を介して連結され且つ水平方向に沿って配置される複数の下弦材と、連結部を介して連結され且つ水平方向に沿って配置される複数の上弦材と、前記下弦材同士を連結する連結部及び前記上弦材同士を連結する連結部に連結され且つ水平方向に対して傾斜する斜弦材と、を有し、前記下弦材、前記上弦材及び前記斜弦材は、パイプ材の端部を平プレスすることにより端部に平板部が形成されており、前記平板部は先細り形状に形成され、前記平板部は、前記パイプ材の軸に沿って複数のボルト孔が形成され、前記複数のボルト孔を介して連結部にボルト締めされている。
【０００７】
このように、各々の弦材は、パイプ材を平プレスすることにより端部に平板部が形成されているので、簡単な加工により形成でき、コストを低減できる。また、平板部が先細り形状に形成されているので、連結部に干渉することを避け、連結部の小型化が可能である。さらに、平板部に形成される複数のボルト孔は、パイプ材の軸に沿って配置されているので、複数のボルト孔が軸に交差する方向に配置されている場合に比べて、平板部の幅を小さくでき、小型化が可能となる。したがって、複数のボルト接合により安全性を高め、且つ、各々の弦材を連結する連結部を小さくでき、コストを低減可能となる。
【図面の簡単な説明】
【０００８】
【図１】トラス構造を構成する下弦材、上弦材及び斜弦材を模式的に示す平面図及び側面図。
【図２】下弦材、上弦材及び斜弦材の連結構造を示す平面図及び側面図。
【考案を実施するための形態】
【０００９】
以下、本考案の一実施形態のトラス構造を、図面を参照して説明する。
【００１０】
図１に示すように、トラス構造は、連結部４を介して連結され且つ水平方向に沿って配置される複数の下弦材１と、連結部４を介して連結され且つ水平方向に沿って配置される複数の上弦材２と、下弦材１同士を連結する連結部４及び上弦材２同士を連結する連結部４に連結され且つ水平方向に対して傾斜する斜弦材３と、を有する。図１は、トラス構造を模式的に示す平面図及び側面図であり、見やすくするために、下弦材１同士を連結する連結部４を丸で示し、上弦材２同士を連結する連結部４をひし形で示している。図１では、５×４の矩形を図示しているが、考案を説明するための例であり、これに限定されない。
【００１１】
図２に示すように、連結部４は、下弦材１又は上弦材２が連結される水平プレート４０と、斜弦材３が連結される２枚の垂直プレート４１と、を有する。２枚の垂直プレート４１には、スリット（非図示）が形成されており、各々のスリットに相手側のプレートを通すことで、平面視で十字になるように重ね合わされ、双方の垂直プレート４１が水平プレート４０に溶接されている。各々のプレート４０，４１には、下弦材１、上弦材２及び斜弦材３を連結するためのボルト孔が形成されている。
【００１２】
図２に示すように、下弦材１、上弦材２及び斜弦材３は、金属のパイプ材５の端部を平プレスすることにより、中心部は円筒部分５０のままで、端部に平板部５１が形成されている。プレス加工は、パイプ材５のうち平板部５１にする部分のみをプレス機で挟んで、プレスする。これにより、円筒部分５０と平板部５１との間には、楕円状の変形部分が形成される。また、円筒部分５０と平板部５１の間の変形部分は、プレスにより拡がるため、円筒部分５０の直径よりも大きくなる。この製法によれば、例えば上下金型を用い、パイプ材の筒状部分と平板部分とその間の曲面部分との３個所全てを強制拘束させた強制拘束プレスに比べて、簡単な加工で形成できる。なお、強制拘束プレスでは、曲面部分が円状になり、円筒部分以下の径に形成される。
【００１３】
平板部５１には、パイプ材５の軸ＣＬに沿って複数（本実施形態では２つ）のボルト孔が形成され、複数のボルト孔を介して、連結部４を構成する水平プレート４０又は垂直プレート４１にボルト締めされる。なお、必要な強度に応じてパイプ材の径、ボルト孔の数は適宜変更可能である。
【００１４】
平板部５１の先端には、テーパ平坦面５２が形成されており、平板部５１は、先端に向かうにつれて細くなる先細り形状になっている。この構造により、連結部４を大きくしなくても、平板部５１が水平プレート４０又は垂直プレート４１に干渉することを避けられるので、連結部４を小さくすることができる。
【００１５】
以上のように、本実施形態のトラス構造は、連結部４を介して連結され且つ水平方向に沿って配置される複数の下弦材１と、連結部４を介して連結され且つ水平方向に沿って配置される複数の上弦材２と、下弦材１同士を連結する連結部４及び上弦材２同士を連結する連結部４に連結され且つ水平方向に対して傾斜する斜弦材３と、を有し、下弦材１、上弦材２及び斜弦材３は、パイプ材５の端部を平プレスすることにより端部に平板部５１が形成されており、平板部５１は、先細り形状に形成され、パイプ材５の軸ＣＬに沿って複数のボルト孔が形成され、複数のボルト孔を介して連結部４にボルト締めされている。
【００１６】
このように、各々の弦材１，２，３は、パイプ材５を平プレスすることにより端部に平板部５１が形成されているので、簡単な加工により形成でき、コストを低減できる。また、平板部５１が先細り形状に形成されているので、連結部４に干渉することを避け、連結部４の小型化が可能である。さらに、平板部５１に形成される複数のボルト孔は、パイプ材５の軸ＣＬに沿って配置されているので、複数のボルト孔が軸に交差する方向に配置されている場合に比べて、平板部５１の幅を小さくでき、小型化が可能となる。したがって、複数のボルト接合により安全性を高め、且つ、各々の弦材を連結する連結部を小さくでき、コストを低減可能となる。
【００１７】
本実施形態では、連結部４は、互いに直交する３枚のプレート４０，４１で構成されている。この構成によれば、連結部４を簡素化して、コストを低減可能となる。
【００１８】
本実施形態では、トラス構造に使用される下弦材１、上弦材２、斜弦材３を含むトラス構造部材であって、円筒部分５０と、平プレスにより形成された平板部５１とを含み、平板部５１は先細り形状であり、平板部５１には、円筒部分５０の軸に沿って複数のボルト孔が形成されている。
【００１９】
この構成によれば、上記と同様に、各々の弦材を連結する連結部を小さくでき、コストを低減可能となる。
【００２０】
以上、本考案の実施形態について図面に基づいて説明したが、具体的な構成は、これらの実施形態に限定されるものでないと考えられるべきである。本考案の範囲は、上記した実施形態の説明だけではなく請求の範囲によって示され、さらに請求の範囲と均等の意味および範囲内でのすべての変更が含まれる。
【００２１】
なお、上記の各実施形態で採用している構造を他の任意の実施形態に採用することは可能である。各部の具体的な構成は、上述した実施形態のみに限定されるものではなく、本考案の趣旨を逸脱しない範囲で種々変形が可能である。
【符号の説明】
【００２２】
１…下弦材
２…上弦材
３…斜弦材
４…連結部
４０…水平プレート
４１…垂直プレート
５…パイプ材
５０…円筒部分
５１…平板部
【図１】
0003211099.tif 000003
【図２】
0003211099.tif 000004